【事件の表示】
　平成　８年特許願第５０１４８０号「無線通信のブロック向き伝送が行われる遠隔通信システムに対するアンテナダイバーシティ無線受信装置およびこの形式のアンテナダイバーシティ無線受信装置におけるアンテナ選択方法」拒絶査定に対する審判事件［平成　７年１２月２８日国際公開、ＷＯ９５／３５６００、平成　９年　８月１２日国内公表、特表平　９−５０７９８０］について、次のとおり審決する。
【結　論】
　本件審判の請求は、成り立たない。
【理　由】
１．手続の経緯・本願発明
  本願は、平成７年６月２１日（パリ条約による優先権主張１９９４年６月２１日、独国）の出願であって、その請求項１に係る発明は、手続補正書により補正された明細書及び図面の記載からみて、その特許請求の範囲の請求項１に記載された次のとおりのものである。（以下、請求項１に係る発明という）
「複数のアンテナ（Ａ１，Ａ２）が所属しているアンテナダイバーシティ手段が設けられている、無線通信のブロック向き伝送が行われる遠隔通信システムに対するアンテナダイバーシティ無線装置であって、前記アンテナダイバーシティ手段は、
ａ）前記無線通信の通信ブロックに含まれている、同期開始語（ＳＥＷ，Ｅ−ＳＥＷ）と同期確認語（ＳＢＷ，Ｅ−ＳＢＷ）とから成る同期フィールド（ＳＹＦ，Ｅ−ＳＹＦ）の、冗長データを含んでいる同期開始語（ＳＥＷ，Ｅ−ＳＥＷ）の受信時間間隔の間、前記アンテナダイバーシティ手段（ＲＥ，ＲＥ−Ｔ，ＲＥ−Ｒ，ＤＳ，ＲＳＳＩ，Ａ／Ｄ，Ｍ−ＣＴ）に所属しているアンテナ（Ａ１，Ａ２）の少なくとも２つの異なったアンテナがアンテナダイバーシティ受信装置（ＦＴ，ＰＴ）の受信チャネルに受信アンテナとして割り当てられ、
ｂ）前記同期開始語（ＳＥＷ，Ｅ−ＳＥＷ）の受信時間間隔の間に前記受信チャネルに割り当てられたアンテナ（Ａ１，Ａ２）のうち、前記通信ブロックの受信期間に対して最高の受信特性を有するアンテナが前記受信チャネルに割り当てられるように構成されている形式のものにおいて、
前記アンテナダイバーシティ手段（ＲＥ，ＲＥ−Ｔ，ＲＥ−Ｒ，ＤＳ，ＲＳＳＩ，Ａ／Ｄ，Ｍ−ＣＴ）は前記アンテナ（Ａ１，Ａ２）に該アンテナ（Ａ１，Ａ２）が該アンテナダイバーシティ手段を共通に利用しかつ該アンテナ（Ａ１，Ａ２）が該アンテナダイバーシティ手段に交互に割り当てられるように、割り当てられている
ことを特徴とするアンテナダイバーシティ無線受信装置。」
２．引用刊行物の記載
Ａ．これに対して、原査定の拒絶理由に引用された特開昭６３−１５８９２２号公報（以下、刊行物１という）には、次の事項が記載されている。
（１）「送信すべき情報部分と、該情報部分に先立つプリアンブル信号部分とが時分割的に多重された信号を受信する受信機において、複数のアンテナと、前記複数のアンテナの出力から得られる受信変調出力の一つを制御信号に応じて選択するためのスイッチ手段と、前記受信変調出力を入力として、そのレベルを前記プリアンブル信号部分の時刻において時分割的に測定し、最大のレベルを示すアンテナを示すアンテナの受信変調波信号を検出し、その結果を前記スイッチ手段の制御信号として出力する手段と、前記スイッチ手段の出力を入力して、受信変調波を復調して受信ベースバンド信号を出力する復調手段とを有することを特徴とするダイバーシティ受信機。」（第１頁左下欄第５行乃至第１８行、特許請求の範囲１．から抽出）
（２）「本発明の目的はアンテナ切り換えに伴なう雑音発生の影響を無くすことのできるダイバーシティ受信機を提供することにある。」（第２頁左上欄第１８行乃至第２０行から抽出）
（３）「本発明の実施例を第１図に示す。送信変調波信号は、受信アンテナ１０１，１０３で受信され、スイッチ回路１１０に入力されて二つのアンテナのうちの一方が選択される。スイッチ回路１１０の出力は、雑音帯域制限のためのバンドパスフィルタ１１１に入力され、その出力は復調回路１２０とレベル測定回路１５０に入力される。復調回路１２０の出力信号はフレーム分離回路１２１に入力され、送信情報信号のみが受信出力端子１３０に出力される。」（第２頁右上欄第１６行乃至左下欄第５行から抽出）
（４）「受信変調波信号は、第２図に示すように、プリアンブル２１０と情報部分２２０が時分割に多重化されている。このような信号の構成は、通常時分割多重ディジタル通信に適用されることが多い。」（第２頁左下欄第１２行乃至第１８行から抽出）
（５）「レベル測定は、プリアンブル部分２１０の受信時間において行われる。そのために、例えばフレーム同期回路１２１でプリアンブル部分が検出されると、信号１６１により制御回路１６０を起動される。制御回路１６０は、信号１６１を受けると制御信号１６３をスイッチ回路１１０に出力して、スイッチをアンテナ１０１と１０２に対して、それぞれ一定時間だけ時分割的に切り換える。」（第２頁左下欄第１８行乃至右上欄第５行から抽出）
（６）「これに対応して、レベル測定回路１５０はアンテナ１０１とアンテナ１０２に受信されるレベルを測定し、その結果を示す信号１６２をそれぞれ制御回路１６０に出力する。制御回路１６０では２つのレベル測定結果を比較し、高いレベルを示す方のアンテナを選択するように制御信号１６３を出力する。以後、情報信号が終了するまでアンテナの切り替えは行われない。」（第２頁右下欄第５行乃至第１３行から抽出）
（７）「本発明はこの実施例に限定されるものではない。例えばプリアンブル部分のみでレベルを測定してスイッチの切換えを行う構成は、フレーム分離回路によらずに他のプリアンブル検出手段をレベル測定回路より前段におくことで実現できる。」（第２頁右下欄第１５行乃至第１９行から抽出）
（８）「以上説明したように本発明は、情報信号部分において信号の切り換えを行わないことにより、切換え雑音が情報信号に影響を与えないという効果がある。また、レベル測定を時分割的に行うことによって必ず生ずる切換え雑音の影響が無くなるという効果がある。」（第３頁左上欄第３行乃至第９行から抽出）
　上記の各事項のうち、特に、事項（３）を参照すると、二つのアンテナの一方がスイッチ回路１１０で選択され、スイッチ回路１１０の出力は、バンドパスフィルタ１１１に入力され、その出力は復調回路１２０とレベル測定回路１５０に入力されており、この、スイッチ回路１１０、バンドパスフィルタ１１１、復調回路１２０、レベル測定回路１５０及び制御回路１６０からなる手段は、アンテナダイバーシティ手段であると認められる。
　また、特に、事項（５）及び（６）を参照すると、レベル測定は、プリアンブル部分２１０の受信時間において、アンテナ１０１と１０２を、それぞれ一定時間だけ時分割的に切り換えて、レベル測定が行われて、比較され、高いレベルを示す方のアンテナを選択するように制御されて、以後、情報信号が終了するまでアンテナの切り替えは行われないようになされていると認められる。
　更に、事項（７）を参照すると、レベルを測定してスイッチの切換えを行う構成は、プリアンブル検出手段の後段にレベル測定回路をおくことができることが記載されており、プリアンブル信号を検出した後、レベル検出を行って、高いレベルのアンテナの選択を行い、その後、情報信号部分を受信する構成が開示されていると認められる。
　したがって、上記（１）乃至（７）の事項を参照すると、刊行物１には、
　アンテナ１０１と１０２、及び、スイッチ回路１１０、バンドパスフィルタ１１１、復調回路１２０、レベル測定回路１５０及び制御回路１６０からなるアンテナダイバーシティ手段が設けられている、時分割多重ディジタル通信に適用されるダイバーシティ受信機であって、前記アンテナダイバーシティ手段は、
ａ）受信変調波信号の、情報部分２２０の前段のプリアンブル信号２１０の受信期間の間に、制御回路１６０が受信アンテナ１０１と１０２をそれぞれ一定時間だけ時分割的に切り換え、アンテナ１０１と１０２から受信された変調波信号が、スイッチ回路１１０、バンドパスフィルタ１１１、復調回路１２０で復調されて、情報信号が受信出力端子に出力され、
ｂ）この受信期間の間に、レベル測定回路１５０は受信アンテナ１０１とアンテナ１０２に受信されるレベルを測定し、制御回路１６０が２つのレベル測定結果を比較して、高いレベルを示す方のアンテナを選択し、以後、情報信号が終了するまでの受信期間に対してアンテナの切り換えは行わないように構成されている形式のものにおいて、
　アンテナ１０１と１０２により受信した信号は、スイッチ回路１１０、バンドパスフィルタ１１１、復調回路１２０、レベル測定回路１５０、制御回路１６０からなるアンテナダイバーシティ手段により、信号の復調が行われるとともに、受信レベルが測定されて、アンテナの切換え制御が行われ、
受信アンテナ１０１と１０２は、受信レベルの測定により制御されて、交互に切換えられるダイバーシティ受信機の発明（以下、刊行物１記載の発明という）が記載されていると認められる。
Ｂ．原査定の拒絶理由に引用された米国特許５，３６９，８０１号明細書（以下、刊行物２という）には、次の事項が記載されている。
（１） 簡単に説明すると、この発明は、各フレームが特定のフォーマットの固定された数のコード化されたビットを含んでいる時分割パルスコード化フレームにより送信されたディジタル無線信号の受信におけるアンテナダイバーシティを行うプロセスに関するものである。（第２欄第１５行乃至第１９行から訳出：なお、英文中の「tithe」は、「time」の誤記であるとして翻訳、国際公開９４／８４０４号の対応箇所参照）
（２） ダイバーシティ受信には、ＭＵＸ１とＭＵＸ２が必要である。しかしながら、上述した２つの特許とは異なり、アンテナ切り換えのために、フォーマット中に、特別に、新しいフィールドを作ることは不可能であるし、無関係の情報を転送する時間スロットも存在していない。この発明は、改良されたアンテナダイバーシティ受信を得るための、ＭＵＸ２とＭＵＸ１のインベンティブな使用を行うものである。（第４欄第１２行乃至第２０行から訳出）
（３） ＭＵＸ２は、１０のプリアンブルビット（レベルスライスとクロック回復のためのの１−０遷移）と、２４ビットの同期チャンネルを備えた３２Ｄチャンネルビットを提供する。２４ビットの同期チャンネルは、基地局と携帯電話の双方が正しいビット同期を達成したことを確認することができるように使われる。（第４欄第２４行乃至第２９行から訳出）
（４） この同期パターンは、最初の同期のために有用なだけであって、これらのビットのサブセットのみが、同期が達成されたあとの試験に必要であるので、ダイバーシティプロセスは、新しいアンテナのＲＳＳＩ（受信された信号強度値）を試験するために、同期パターンの最後の９ビットを使用する。（第４欄第２９行乃至第３４行から訳出）
（５）それ故に、ＭＵＸ中のダイバーシティプロセスは、同期マーカーの使用されていない部分にのみ影響を与えるビットヒットにより全てのアンテナのＲＳＳＩを連続的にサンプルすることが可能である。図面には、アンテナ操作の図も記載されている。（第４欄第４７行乃至第５０行から訳出）
　上記（１）乃至（５）の事項を参照すると、刊行物２には、時分割パルスコード化通信システムのアンテナダイバーシティのプロセスにおいて、同期パターンのビット同期のために必要な最初の部分以外の最後の９ビットの期間に、新しいアンテナのレベル信号の検出とアンテナの切換操作を行う発明（以下、刊行物２記載の発明という）が記載されていると認められる。
３．対比
　そこで、請求項１に係る発明と刊行物１記載の発明とを比較する。
（１） 刊行物１記載の発明の「アンテナ１０１と１０２」、「スイッチ回路１１０、バンドパスフィルタ１１１、復調回路１２０、レベル測定回路１５０、制御回路１６０からなるアンテナダイバーシティ手段」、及び、「時分割多重ディジタル通信に適用されるダイバーシティ受信機」は、それぞれ、請求項１に係る発明の、「複数のアンテナ（Ａ１，Ａ２）」、「アンテナダイバーシティ手段」、及び、「無線通信のブロック向き伝送が行われる遠隔通信システムに対するアンテナダイバーシティ無線装置」に対応すると認められる。
（２） 刊行物１記載の発明のａ）の構成のうちの「プリアンブル信号２１０の受信期間」も、請求項１に係る発明のａ）の構成のうちの「同期開始語（ＳＥＷ，Ｅ−ＳＥＷ）と同期確認語（ＳＢＷ，Ｅ−ＳＢＷ）とから成る同期フィールド（ＳＹＦ，Ｅ−ＳＹＦ）の、冗長データを含んでいる同期開始語（ＳＥＷ，Ｅ−ＳＥＷ）の受信時間間隔の間」も、いずれも、「通信ブロックの情報部分の前段の期間」にあたると認められ、それぞれの、ａ)のその余の構成は一致すると認められる。
（３） 刊行物１記載の発明のｂ）の構成は、請求項１に係る発明のｂ）の構成に相当すると認められる。
（４）刊行物１記載の発明の「アンテナ１０１と１０２により受信した信号は、スイッチ回路１１０、バンドパスフィルタ１１１、復調回路１２０、レベル測定回路１５０、制御回路１６０からなるアンテナダイバーシティ手段により、信号の復調が行われるとともに、受信レベルが測定されて、アンテナの切換え制御が行われ、受信アンテナ１０１と１０２は、受信レベルの測定により制御されて、交互に切換えられる」構成は、請求項１に係る発明の「前記アンテナダイバーシティ手段（ＲＥ，ＲＥ−Ｔ，ＲＥ−Ｒ，ＤＳ，ＲＳＳＩ，Ａ／Ｄ，Ｍ−ＣＴ）は前記アンテナ（Ａ１，Ａ２）に該アンテナ（Ａ１，Ａ２）が該アンテナダイバーシティ手段を共通に利用しかつ該アンテナ（Ａ１，Ａ２）が該アンテナダイバーシティ手段に交互に割り当てられるように、割り当てられている」構成に相当すると認められる。
　したがって、両者は、以下の点で一致し、以下の点で相違していると認められる。
＜一致点＞
　複数のアンテナ（Ａ１，Ａ２）が所属しているアンテナダイバーシティ手段が設けられている、無線通信のブロック向き伝送が行われる遠隔通信システムに対するアンテナダイバーシティ無線装置であって、前記アンテナダイバーシティ手段は、
ａ）前記無線通信の通信ブロックに含まれている、通信ブロックの情報部分の前段の期間、前記アンテナダイバーシティ手段（ＲＥ，ＲＥ−Ｔ，ＲＥ−Ｒ，ＤＳ，ＲＳＳＩ，Ａ／Ｄ，Ｍ−ＣＴ）に所属しているアンテナ（Ａ１，Ａ２）の少なくとも２つの異なったアンテナがアンテナダイバーシティ受信装置（ＦＴ，ＰＴ）の受信チャネルに受信アンテナとして割り当てられ、
ｂ）前記同期開始語（ＳＥＷ，Ｅ−ＳＥＷ）の受信時間間隔の間に前記受信チャネルに割り当てられたアンテナ（Ａ１，Ａ２）のうち、前記通信ブロックの受信期間に対して最高の受信特性を有するアンテナが前記受信チャネルに割り当てられるように構成されている形式のものにおいて、
前記アンテナダイバーシティ手段（ＲＥ，ＲＥ−Ｔ，ＲＥ−Ｒ，ＤＳ，ＲＳＳＩ，Ａ／Ｄ，Ｍ−ＣＴ）は前記アンテナ（Ａ１，Ａ２）に該アンテナ（Ａ１，Ａ２）が該アンテナダイバーシティ手段を共通に利用しかつ該アンテナ（Ａ１，Ａ２）が該アンテナダイバーシティ手段に交互に割り当てられるように、割り当てられているアンテナダイバーシティ無線受信装置である点。
＜相違点＞
　通信ブロックの情報部分の前段の期間が、請求項１に係る発明では、同期開始語（ＳＥＷ，Ｅ−ＳＥＷ）と同期確認語（ＳＢＷ，Ｅ−ＳＢＷ）とから成る同期フィールド（ＳＹＦ，Ｅ−ＳＹＦ）の、冗長データを含んでいる同期開始語（ＳＥＷ，Ｅ−ＳＥＷ）の受信時間間隔の間であるのに対し、刊行物１記載の発明では、プリアンブル信号２１０の受信期間である点。
４．当審の判断
　そこで、上記相違点について検討すると、
　通信ブロックの情報部分の前段部分に、同期フィールドを設けること、及び、この同期フィールドに同期開始語と同期確認語を設けることは、周知技術（例、特開平３−９８３４４号公報、特開平５−７５５９１号公報参照）であると認められる。
　また、新しいアンテナのレベル信号の検出とアンテナの切換操作を、同期パターンのビット同期のために必要な最初の部分以外の最後の９ビットの期間に行うことが、刊行物２記載の発明に開示されており、この同期パターンのビット同期のために必要な最初の部分以外の最後の９ビットの期間は、請求項１に係る発明の、同期フィールド（ＳＹＦ，Ｅ−ＳＹＦ）のうちの、同期開始語（ＳＥＷ，Ｅ−ＳＥＷ）の冗長データの部分の受信時間間隔の間に相当するものであると認められる。
　したがって、刊行物１記載の発明の、アンテナダイバーシティ無線受信装置のプリアンブル信号の受信期間に代えて、同期開始語と同期確認語を設けた同期フィールドを有する周知の通信ブロックの場合には、刊行物２記載の発明と同様に、冗長データを含んでいる同期開始語（ＳＥＷ，Ｅ−ＳＥＷ）の受信時間間隔の間を選定することは、当業者が容易になし得たことと認められる。
  ５．むすび
　以上のとおりであるから、請求項１に係る発明は、引用例１及び２記載の発明及び周知技術に基いて、当業者が容易に発明をすることができたものと認められ、特許法第２９条第２項の規定により特許を受けることができない。　　　
　よって、結論のとおり審決する。